(57)【特許請求の範囲】
【請求項１】
フイルムベースにアニールドポリエチレンナフタレート（Ａ−ＰＥＮ）を用いた写真フイルムを装填するとともに、写真フイルムが巻上げと逆方向に移送されるのを阻止する逆転防止手段を有するカメラのフイルム移動防止機構において、
カメラのシャッタボタンを全押し位置よりも浅い位置まで押し下げる半押し操作により、前記逆転防止手段による写真フイルムの逆方向への移送阻止を露光開始前に解除して写真フイルムの緊張状態を解消し、露光中のフイルム移動を防止することを特徴とするフイルム移動防止機構。
【請求項２】
フイルムベースにアニールドポリエチレンナフタレート（Ａ−ＰＥＮ）を用いた写真フイルムとこの一端部が係止されたスプールを回動自在に収納したパトローネとを予め装填するとともに、シャッタボタンの全押しによって写真フイルムに露光を与える露光ユニットと、撮影ごとに巻上げ操作を行なってパトローネのスプールを回転させることにより露光済みの写真フイルムをパトローネ内に収納する外周に歯列を形成したフイルム巻上げ用の巻上げノブと、前記歯列に弾性自在に係合し、巻上げノブのフイルム巻上げ方向への正転操作の際には弾性変形してその回転を許容し、逆転操作の際には前記歯列の谷に入り込んでその回転を阻止することにより巻上げノブの逆転を防止する逆転防止爪とを備えたレンズ付きフイルムユニットにおいて、
前記シャッタボタンを全押し位置よりも浅い位置まで押し下げる半押し操作により、前記露光ユニットを構成する部品の一部を変位させ、この部品の変位によって前記逆転防止爪を押動し、前記逆転防止爪と巻上げノブとの係合を解除して前記スプールを回動自由にすることを特徴とするレンズ付きフイルムユニット。
【請求項３】
前記部品は、前記露光ユニットの上部を構成し、軸受け等の機能を有する天板であることを特徴とする請求項２記載のレンズ付きフイルムユニット。
【請求項４】
フイルムベースにアニールドポリエチレンナフタレート（Ａ−ＰＥＮ）を用いた写真フイルムとこの一端部が係止されたスプールを回動自在に収納したパトローネとを予め装填するとともに、シャッタボタンの全押しによって写真フイルムに露光を与える露光ユニットと、撮影ごとに巻上げ操作を行なってパトローネのスプールを回転させることにより露光済みの写真フイルムをパトローネ内に収納する外周に歯列を形成したフイルム巻上げ用の巻上げノブと、前記歯列に弾性自在に係合し、巻上げノブのフイルム巻上げ方向への正転操作の際には弾性変形してその回転を許容し、逆転操作の際には前記歯列の谷に入り込んでその回転を阻止することにより巻上げノブの逆転を防止する逆転防止爪とを備えたレンズ付きフイルムユニットにおいて、
前記シャッタボタンを全押し位置よりも浅い位置まで押し下げる半押し操作によってシャッタボタンの一部で一端部が押動され回動される回動レバーと、この回動レバーで押動され回動されることにより、前記逆転防止爪を回動して巻上げノブとの係合を解除する解除レバーとを、前記露光ユニットの上部を構成する天板の一部に弾性自在に形成したことを特徴とするレンズ付きフイルムユニット。
【発明の詳細な説明】
【０００１】
【発明の属する技術分野】
本発明は、露光中のフイルム移動を防止したフイルム移動防止機構及びこれを備えたレンズ付きフイルムユニットに関するものである。
【０００２】
【従来の技術】
簡単な露光機構を備えるとともに、予め未露光の写真フイルムとパトローネとが製造時に装填され、面倒なフイルム装填と巻戻し操作を不要にしたレンズ付きフイルムユニットとして、例えば「写ルンですSuper800（商品名）」等が本出願人より製造販売されている。このようなレンズ付きフイルムユニットでは、撮影ごとにパトローネのスプールに係合された巻上げノブを回転操作して露光済みの写真フイルムをパトローネ内に巻き上げ、このときの写真フイルムの移送を利用してシャッタチャージを行なった後、露光機構の係止レバーが巻上げノブの外周に形成された歯列に係合して巻上げノブのそれ以上の回転を阻止するようにしてある。
【０００３】
また、このようなフイルム巻上げ機構では、フイルム巻上げ操作の際に、巻上げノブをフイルム巻上げ方向とは逆の方向に回転操作すると、露光済みのコマがパトローネから引き出されてしまうため、巻上げノブの逆転操作を阻止する逆転操作防止機構が設けられている。この機構は、巻上げノブの外周に形成された歯列と、歯列に弾性自在に係合する逆転防止爪とから構成されている。この逆転防止爪は、巻上げノブのフイルム巻上げ方向への正転操作の際には弾性変形してその回転を許容し、また巻上げノブの逆転操作の際には歯列の谷に入り込んでその回転を阻止する。
【０００４】
一方、雑誌「写真工業」（（株）写真工業出版社  1994年12月号 p.11 ）にも紹介されたＡＰＳ（Advanced Photo System ）では、従来より小型化したパトローネ内により多くの撮影コマ数（例えば４０コマ）を確保した写真フイルムを収納するため、このフイルムベースとして厚みを薄くしても剛性が高く十分な強度を有するアニールドポリエチレンナフタレート（Ａ−ＰＥＮ）を用いることが提案されている。
【０００５】
【発明が解決しようとする課題】
ところが、上記のような新タイプの写真フイルムをレンズ付きフイルムユニットに用いた場合、撮影中に時として画面ブレが発生することが分かった。この原因としては、種々のケースが考えられる。例えば写真フイルムを巻き上げる際に写真フイルムに引っ張り力がかかっており、これが巻止め機構によって溜められた状態になっている。そして、レリーズ操作と同時に巻止めが解除されるから、この瞬間に写真フイルムにかかっていた引っ張り力が弛み、剛性が強い写真フイルムが振動する。
【０００６】
また、シャッタチャージ時には、巻上げノブと従動スプロケットとの間の写真フイルムにはテンションがかかった状態になっており、これがレリーズ操作の瞬間に解除されると、剛性が強い写真フイルムが元のカール状態に戻ろうとするカール収縮が発生して振動する。また、シャッタチャージ時の巻上げノブの回転位置によっては、巻上げノブの歯列と逆転防止爪との噛み合わせにより、逆転防止爪が巻上げノブを巻上げ方向に回転させる方向に付勢する状態になる場合がある。このような状態のままレリーズ操作を行なうと、巻止めが解除された瞬間に写真フイルムがパトローネ側に移動して画面ブレが発生する。
【０００７】
また、新タイプのパトローネは、フイルム出入口に従来のようなテレンプを用いずに、回転式の遮光蓋を用いている。このため、遮光蓋が開き、写真フイルムがフイルム出入口から突出した状態では、フイルム出入口の開口サイズの範囲で写真フイルムが自由に移動可能となっている。したがって、シャッタ羽根の揺動に伴うショック等によって露光中の写真フイルムが動くことがある。
【０００８】
本発明は、上記問題点に鑑みてなされたもので、露光中のフイルム移動を防止して画質を向上させたフイルム移動防止機構及びレンズ付きフイルムユニットを提供することを目的とする。
【０００９】
【課題を解決するための手段】
上記問題点を解決するために、本発明のフイルム移動防止機構は、フイルムベースにアニールドポリエチレンナフタレート（Ａ−ＰＥＮ）を用いた写真フイルムを装填するとともに、写真フイルムが巻上げと逆方向に移送されるのを阻止する逆転防止手段を有するカメラのフイルム移動防止機構において、カメラのシャッタボタンを全押し位置よりも浅い位置まで押し下げる半押し操作により、前記逆転防止手段による写真フイルムの逆方向への移送阻止を露光開始前に解除して写真フイルムの緊張状態を解消し、露光中のフイルム移動を防止するものである。
【００１０】
また、本発明のレンズ付きフイルムユニットは、フイルムベースにアニールドポリエチレンナフタレート（Ａ−ＰＥＮ）を用いた写真フイルムとこの一端部が係止されたスプールを回動自在に収納したパトローネとを予め装填するとともに、シャッタボタンの全押しによって写真フイルムに露光を与える露光ユニットと、撮影ごとに巻上げ操作を行なってパトローネのスプールを回転させることにより露光済みの写真フイルムをパトローネ内に収納する外周に歯列を形成したフイルム巻上げ用の巻上げノブと、前記歯列に弾性自在に係合し、巻上げノブのフイルム巻上げ方向への正転操作の際には弾性変形してその回転を許容し、逆転操作の際には前記歯列の谷に入り込んでその回転を阻止することにより巻上げノブの逆転を防止する逆転防止爪とを備えたレンズ付きフイルムユニットにおいて、前記シャッタボタンを全押し位置よりも浅い位置まで押し下げる半押し操作により、露光ユニットを構成する部品の一部を変位させ、この部品の変位によって逆転防止爪を押動し、逆転防止爪と巻上げノブとの係合を解除してスプールを回動自由にするようにしたものである。
【００１１】
また、前記部品として、露光ユニットの上部を構成し、軸受け等の機能を有する天板を用いたものである。
【００１２】
また、フイルムベースにアニールドポリエチレンナフタレート（Ａ−ＰＥＮ）を用いた写真フイルムとこの一端部が係止されたスプールを回動自在に収納したパトローネとを予め装填するとともに、シャッタボタンの全押しによって写真フイルムに露光を与える露光ユニットと、撮影ごとに巻上げ操作を行なってパトローネのスプールを回転させることにより露光済みの写真フイルムをパトローネ内に収納する外周に歯列を形成したフイルム巻上げ用の巻上げノブと、前記歯列に弾性自在に係合し、巻上げノブのフイルム巻上げ方向への正転操作の際には弾性変形してその回転を許容し、逆転操作の際には前記歯列の谷に入り込んでその回転を阻止することにより巻上げノブの逆転を防止する逆転防止爪とを備えたレンズ付きフイルムユニットにおいて、前記シャッタボタンを全押し位置よりも浅い位置まで押し下げる半押し操作によってシャッタボタンの一部で一端部が押動され回動される回動レバーと、この回動レバーで押動され回動されることにより、逆転防止爪を回動して巻上げノブとの係合を解除する解除レバーとを、露光ユニットの上部を構成する天板の一部に弾性自在に形成したものである。
【００１３】
【発明の実施の形態】
本発明の実施形態の外観を示す図２において、レンズ付きフイルムユニット２は、パトローネ付きの写真フイルムや各種撮影機構の他、露光前に写真フイルムの緊張状態を解除して露光中のフイルム移動を防止するフイルム移動防止機構を内蔵したユニット本体３と、この中央部の縦方向に巻き付けて貼着した帯状のラベル４とから構成されている。ラベル４に覆われないユニット本体３の左右には、巻上げノブ５，シャッタボタン６，ストロボ発光部７，充電スイッチ８が配置され、ラベル４には、撮影レンズ９，ファインダ１０及び撮影枚数表示窓１１等を露出させるための穴が設けられている。
【００１４】
図３に示すように、ユニット本体３は、本体基部１２，後カバー１３，露光ユニット１４，ストロボユニット１５、及び前カバー１６とから構成されている。本体基部１２の前面には、撮影レンズ９を備えた露光付与機構，フイルム巻上げ機構及びシャッタチャージ機構等がユニット化された露光ユニット１４が着脱自在に取り付けられる。後カバー１３は、本体基部１２の背後に組み付けられて本体基部１２との間で写真フイルムパトローネ１７を光密に収納する。
【００１５】
前カバー１５は、本体基部１２の前面に着脱自在に取り付けられる。この前カバー１５の上面には、一部を切り欠いて弾性自在に形成したシャッタボタン６が設けられている。このシャッタボタン６の下部には、押圧ロッド１８が設けられており、詳しくは後述する露光ユニット１４の構成部品を押圧し、露光付与機構を作動させるとともに、後述する逆転防止爪を変位させ、巻上げノブ５の外周に形成された歯列５ａとの係合を解除する。
【００１６】
本体基部１２には、写真フイルムパトローネ１７のパトローネ２０を収納するためのパトローネ収納室２１と、パトローネ２０から引き出された未露光の写真フイルム２２をフイルムロール２２ａの形態で収納するためのフイルムロール室２３とが一体に形成されている。
【００１７】
写真フイルム２２は、フイルムベースにアニールドポリエチレンナフタレート（Ａ−ＰＥＮ）が用いられ、このフイルムベースに乳剤層が塗布されている。Ａ−ＰＥＮは、ポリエステルフイルム等の高分子からなる支持体を製膜後、４０°Ｃ以上，前記支持体のガラス転移温度以下の温度で熱処理することにより得られる素材で、厚みが７０〜１００μｍ程度で従来の写真フイルムに使用されている１２０μｍ程度のＴＡＣと同等の剛性を得ることができるため、写真フイルム２２の厚みは薄くなっている。
【００１８】
パトローネ２０は、プラスチックで形成されており、未使用時には写真フイルム２２を全て内部に収納しておき、使用時にはスプール２５の回転によって写真フイルム２２を外部に送り出す。また、写真フイルム２２が引き出されるフイルム出入り口には、写真フイルム２２が全て巻き込まれたときに回動されてパトローネ２０内を遮光する蓋部材２６が組み込まれている。
【００１９】
パトローネ収納室２１とフイルムロール室２３との底は開口となっており、写真フイルムパトローネ１７を装填した後に、後カバー１３に設けたプルトップ式の底蓋２８，２９によってそれぞれ塞がれる。
【００２０】
パトローネ収納室２１とフイルムロール室２３との間には、暗箱３０が設けられている。暗箱３０の背面側には露光開口３１が形成されており、この露光開口３１は、撮影レンズ９を通る光軸９ａを中心として写真フイルム２２の移送方向で湾曲した形状となっている。また後カバー１３には、露光開口３１に対峙する部分にフイルム支持面３２が形成されており、このフイルム支持面３２も同様に湾曲されている。
【００２１】
暗箱３０の前面側には、露光ユニット１４が取り付けられる。また、暗箱３０の上方には、露光ユニット１４の従動スプロケットを写真フイルム２２に向けて露呈させるための開口３０ａが形成されている。この開口３０ａは、撮影レンズ９側から見た露光開口３１に対して上方左側に形成されている。
【００２２】
巻上げノブ５は、パトローネ収納室２１の上面に回動自在に配置され、パトローネ収納室２１に装填されたパトローネ２０のスプール２５に係合している。この巻上げノブ５は、一部が後カバー１３から露呈されており、この露呈された部分をフイルム巻上げ方向（図中反時計方向）に回転操作することにより、スプール２５がフイルム巻き取り方向に回転されて撮影済みの写真フイルム２２がパトローネ２０内に収納される。
【００２３】
巻上げノブ５の外周に形成された歯列５ａには、本体基部１２に設けた逆転防止爪３７が係合している。逆転防止爪３７は、巻上げノブ５のフイルム巻上げ方向への正転操作の際には弾性変形してその回転を許容し、逆転操作の際には歯列５ａの谷に入り込んでその回転を阻止することにより巻上げノブ５がフイルム巻上げ方向とは逆の方向（図中時計方向）に回転操作されることを禁止している。
【００２４】
ストロボユニット１５は、回路基板３３とストロボ発光部７とから構成されている。回路基板３３には、ストロボ回路を構成するメインコンデンサ３４等からなる電気部品と、露光ユニット１４のシャッタ機構によってオンされるシンクロスイッチ３５と、ストロボ装置１６の電源となる乾電池３６を接続するための接片３８ａ，３８ｂとが取り付けられている。また、充電スイッチ８の押圧により回路基板３３のプリント接点２４ａ，２４ｂを短絡させてメインコンデンサ３４への充電を開始する接片２７がフイルムロール室２３の外壁に取り付けられている。
【００２５】
写真フイルム２２は、図４に示すように、フイルム自由端部２２ｂ，撮影領域２２ｃ，フイルム係止部２２ｄから構成されている。撮影領域２２ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で撮影を行いコマ４１が形成される。撮影領域２２ｃは、最初に撮影が行われるコマ４１ａと、最後に撮影が行われるコマ４１ｂとを含む規定撮影枚数分のコマ４１が形成されるだけの長さを有している。
【００２６】
フイルム係止部２２ｄは、パトローネ２０のスプール２５に係止されており、巻上げノブ５の操作によるスプール２５の回転によってスプール２５に巻き付けられる。フイルム自由端部２２ｂとフイルム係止部２２ｄとは、撮影に用いられない領域とされており、現像処理時等に使用するための露光禁止領域となっている。そのため、フイルム自由端部２２ｂ，フイルム係止部２２ｄは、未露光の状態でパトローネ２０内に巻き上げられる。
【００２７】
露光ユニット１４には、図５に示すようなシャッタチャージ機構が設けられている。このシャッタチャージ機構は、同軸に設けられた従動スプロケット４５，回転体４６と、この近傍に設けられた板バネ４８と、第１バネ５２，第２バネ５３によりそれぞれ反時計方向と時計方向とに付勢されたシャッタ駆動レバー４９，係止レバー５０と、カウンタ表示板５１とからなる。
【００２８】
従動スプロケット４５は、回転部材４６の下部に係合されて暗箱３０の上部の開口３１ａからフイルム面に向けて露呈される。従動スプロケット４５の円周面４５ａには、短い間隔で並んだ一対の大小パーフォレーション３９，４０に順次に噛合する一対の大小の歯５５，５６が、１８０°の回転対称で２対設けられている。そして、従動スプロケット４５は、１コマ分の写真フイルム２２がパトローネ２０内に巻き上げられる際にフイルム移送に従動して半回転される。
【００２９】
回転部材４６は、従動スプロケット４５の回転補助を行う被押圧部５９と、シャッタチャージを行うシャッタチャージカム６０と、フイルム巻止めを行う巻止めカム６１と、カウンタ表示板５１を一目盛り分ずつ回動させる二歯ギヤ６２とから構成されており、これらは一体に形成されている。
【００３０】
被押圧部５９は、外周に１８０°の回転対称で形成された一対の突起５９ａからなる。写真フイルム２２にはパーフォレーションが連続的に設けられていないことから、従動スプロケット４５の歯５５，５６がパーフォレーション３９，４０との何れとも噛合されない状態が発生してしまう。この状態のときに、板バネ４８が突起５９ａを押圧し、回転部材４６を従動方向に回動させるようになっている。これにより、従動スプロケット４５の歯５６は、次のパーフォレーション４０に噛合可能な位置まで移動される。
【００３１】
シャッタチャージカム６０は、外周に１８０°の回転対称で形成された羽根形状の突起６０ａによって、シャッタ駆動レバー４９の突部４９ａを押圧し、時計方向（チャージ位置に向かう方向）に向けて回動させる。
【００３２】
係止レバー５０は、この爪部５０ａが回転部材４６の巻止めカム６１の外周に当接されており、回転部材４６が半回転して、巻止めカム６１の溝６１ａが係止レバー５０の爪部５０ａに合致する位置に到達すると、時計方向に僅かに回動され、爪部５０ａが溝６１ａに挿入される。これにより回転部材４６の回転が阻止されてフイルム巻止め状態となる。
【００３３】
また、係止レバー５０は、巻止めカム６１に係合してフイルム巻止めを行う際に、チャージ位置に回動されたシャッタ駆動レバー４９に係合するとともに、巻止め爪５０ｂを巻上げノブ５の歯列５ａに噛合させてフイルム巻上げ操作を阻止する。
【００３４】
係止レバー５０とシャッタ駆動レバー４９との係合は、係止レバー５０から下方に向けて突出された係合突起５０ｃと、シャッタ駆動レバー４９から上方に向けて突出された被係合突起４９ｂとが突き合わされることにより行われる。そして、シャッタボタン６が押下されると押圧ロッド１８が係止レバー５０の立ち下がり片５０ｄを押圧し、係止レバー５０は反時計方向に回動される。係止レバー５０が図示位置以上に回動されると、係合突起５０ｃと被係合突起４９ｂとの係合が解除され、シャッタ駆動レバー４９は反時計方向に回動される。
【００３５】
シャッタ駆動レバー４５が反時計方向に回動されると、シャッタ羽根６４に上部に形成された作用片６４ａが蹴飛ばされ、シャッタ羽根６４が揺動してシャッタ開口が開放され、写真フイルム２２への露光が行われる。また、シャッタ羽根６４は引き戻しバネ（図示せず）の付勢によって反時計方向に回動され、すぐにシャッタ開口は閉じられる。
【００３６】
二歯ギヤ６２は、カウンタ表示板５１の外周に形成された歯列５１ａに噛合されており、カウンタ表示板５１は二歯ギヤ６２の半回転によって一目盛り分だけ時計方向に回動される。カウンタ表示板４６の上面には、その回転ピッチに対応して枚数表示用の目盛りが設けられており、この目盛りは露光ユニット１４の上部を構成する天板６８と一体成形された拡大レンズ６８ａ（図３参照）によって拡大され、表示窓１１を通して観察することができる。この目盛りは、その時点で撮影可能なフイルム枚数、すなわち残数表示目盛りとなっている。
【００３７】
前記天板６８は、前記拡大レンズ６８ａが一体に形成されている他、巻止めカム６１の上面を規制するとともに、シャッタ駆動レバー４９の軸６６の上端を保持し、またファインダ１０のレンズ１０ａの上部を押さえ、さらにシャッタボタン６の半押し操作により逆転防止爪３７を回動させて巻上げノブ５との係合を解除することにより写真フイルムの緊張状態を解消し、シャッタ開時のフイルム移動を防止するフイルム移動防止機構を備えている。
【００３８】
このフイルム移動防止機構は、図１に示すように、天板６８の巻上げノブ５側の端部を切り欠いて形成され、コ字型の解除レバー７１と、Ｔ字形の回動レバー７２とからなる。各レバー７１，７２は、それぞれ連結部７１ａ，７２ａの弾性変形により回動自在に形成されている。そして、解除レバー７１の先端部７１ｂと回動レバー７２の一端部７２ｂとは、互いに隣接した位置に形成されている。露光ユニット１４を本体基部１２に取り付けると、解除レバー７１の側部７１ｃが逆転防止爪３７と相対した位置に配置される。また、前カバー１６を本体基部１２に取り付けると、回動レバー７２の他端部７２ｃが押圧ロッド１８に一体成形された押圧部材１８ａと隣接した位置に配置される。
【００３９】
シャッタボタン６を半押し操作すると、押圧部材１８ａが回動レバー７２の他端部７２ｃを押圧し、回動レバー７２を反時計方向に回動させる。すると、一端部７２ｂが解除レバー７１の先端部７１ｂを押圧して解除レバー７１を時計方向に回動させるから、解除レバー７１の側部７１ｃが逆転防止爪３７を後カバー１３側へ押動する。これにより、逆転防止爪３７は時計方向に回動され、巻上げノブ５の歯列５ａとの係合が解除される。
【００４０】
この瞬間、シャッタ開口が開放される前にスプール２５が回動自由なフリー状態になるから、写真フイルム２２はこれにかかっていたテンションが解消されるためロール状に戻ろうとするカール収縮を起こし、一瞬間振動した後、安定状態になる。したがって、この後、シャッタボタン６が全押しされ、シャッタ開口が開放されたときには、写真フイルム２２は安定しており、フイルム移動による画質劣化が防止される。
【００４１】
次に上記実施形態の作用について説明する。図２に示すレンズ付きフイルムユニット２を購入したユーザーは、始めに巻上げノブ５を回転操作して撮影準備を行う。巻上げノブ５が回転操作されると、図４に示すフイルム係止部２２ｄが写真フイルム２２がパトローネ２０内に巻き上げられる。
【００４２】
写真フイルム２２の移動と板バネ４８の付勢とにより、従動スプロケット４５と回転部材４６とは反時計方向に回転され、小歯５６が次の小パーフォレーション４０に噛合可能な位置まで移動される。さらに写真フイルム２２が移送されると、従動スプロケット４５の小歯５６が次の小パーフォレーション４０に噛合し、大歯５５が大パーフォレーション３９に順次噛合する。巻上げノブ５の回転操作が開始されてから大歯５５が大パーフォレーション３９に噛合するまでの間に、回転部材４６は反時計方向に半回転される。
【００４３】
回転部材４６が半回転する間には、シャッタチャージカム６０の突起６０ａがシャッタ駆動レバー４９の突部４９ａを押圧して、シャッタ駆動レバー４９を時計方向に回動させる。係止レバー５０は、第２バネ５３の付勢によって時計方向に回動し、爪部５０ａを巻止めカム６１の溝６１ａに係合させて回転部材４６の回転をロックするとともに、係合突起５０ｃをシャッタ駆動レバー４９の被係合突起４９ｂに係合させる。さらに係止レバー５０は、巻止め爪５０ｂを巻上げノブ５の外周の歯列５ａに噛合させて、巻上げノブ５の回転操作を阻止する。これにより、レンズ付きフイルムユニット２の撮影準備が完了する。
【００４４】
その後、ファインダ１０で撮影範囲を確認し、シャッタボタン６を半押しすると、押圧ロッド１８の押圧部材１８ａが回動レバー７２及び解除レバー７１を介して逆転防止爪３７を後カバー１３側に回動させ、逆転防止爪３７と巻上げノブ５との係合を解除する。これにより、パトローネ内のスプールが回動自由になるから、写真フイルム２２は振動した後、安定する。
【００４５】
この後、シャッタボタン６をさらに押し下げて全押しすると、押圧ロッド１８が係止レバー５０の立ち下がり片５０ｃを押圧して反時計方向に向けて回動させる。これにより、係止レバー５０の係合突起５０ｃとシャッタ駆動レバー４９の被係合突起５０ｃとの係合が解除され、シャッタ駆動レバー４９は第１バネ５２の付勢によって反時計方向に回動する。シャッタ駆動レバー４９は、シャッタ羽根６４の作用片６４ａを蹴飛ばしてシャッタ開口を開閉し、写真フイルム２２への露光を行なう。
【００４６】
以上説明した実施形態では、天板の解除レバーは回動レバーを介して回動させていたが、回動レバーを省略することもできる。この場合には、例えばシャッタボタンの押圧ロッドに楔状の部材を一体成形し、シャッタボタンの押下げにより楔状の部材が解除レバーと天板本体との隙間に挿入され、解除レバーが逆転防止爪側に回動されるようにする。
【００４７】
また、上記実施形態は、新規な写真フイルムパトローネを装填したレンズ付きフイルムユニットであったが、従来の１３５タイプのパトローネとＡ−ＰＥＮベースの写真フイルムを装填したレンズ付きフイルムユニットでもよい。また、本発明のフイルム移動防止機構は、コンパクトタイプ等のカメラに適用することができる。
【００４８】
【発明の効果】
以上説明したように、本発明のフイルム移動防止機構は、シャッタボタンの半押し操作で逆転防止手段による写真フイルムの逆方向への移送阻止を露光開始前に解除するので、写真フイルムの緊張状態を解消して露光中のフイルム移動を防止でき、画質を向上させることができる。
【００４９】
また、本発明のレンズ付きフイルムユニットによれば、シャッタボタンの半押し操作で逆転防止爪と巻上げノブとの係合を解除するようにしたので、シャッタ開前にパトローネのスプールが回動自由になり、写真フイルムにこのフイルムベースが剛性の高いＡ−ＰＥＮから形成されていることに起因するテンション解放時の振動が発生しても、この振動はシャッタ開前に落ちつくため、シャッタ開中のフイルム移動を防止でき、画質を向上させることができる。また、シャッタボタンの半押し操作による逆転防止爪の回動を露光ユニットの天板を介して行なうようにしたので、きわめて簡単かつローコストにフイルム移動を防止することができる。
【図面の簡単な説明】
【図１】  本発明に係る天板の構成と逆転防止爪とシャッタボタンの一部との関係を示す説明図である。
【図２】  本発明のレンズ付きフイルムユニットの外観を示す斜視図である。
【図３】  ユニット本体の構成を示す分解斜視図である。
【図４】  写真フイルムパトローネの構成を示す説明図である。
【図５】  シャッタチャージ機構の構成を示す説明図である。
【符号の説明】
２  レンズ付きフイルムユニット
５  巻上げノブ
６  シャッタボタン
１２  本体基部
１３  後カバー
１４  露光ユニット
１６  前カバー
１７  写真フイルムパトローネ
１８ａ  押圧部材
２０  パトローネ
２２  写真フイルム
３７  逆転防止爪
４５  従動スプロケット
４９  シャッタ駆動レバー
４９ｂ  被係合突起
５０  係止レバー
５０ｃ  係合突起
５１  回転部材
６１  巻止めカム
６８  天板
７１  解除レバー
７２  回動レバー
【図１】
0003665124.tif 000002
【図２】
0003665124.tif 000003
【図３】
0003665124.tif 000004
【図４】
0003665124.tif 000005
【図５】
0003665124.tif 000006